(57)【要約】      （修正有）【課題】表示部及びタッチパネルを含む第一のユニットとキーボードを含む第二のユニットを備え、第一のユニットのパフォーマンスを優先しつつ、第二のユニットのバッテリからタブレット部の充電を効率的に行う情報処理装置及び充電装置を提供する。【解決手段】情報処理装置１００は、充電可能な第一のバッテリ１１を内蔵した第一のユニット（タブレット部）１０と、第一のユニットが接続可能な第二のユニット（ベース部）８０とを備える。第二のユニットは、第一のユニットと電気的に接続する接続部と、充電可能な第二のバッテリ８１と、を備える。第一のユニットと第二のユニットの少なくとも一方は、第二のバッテリから第一のバッテリへの充電を制御する制御部１５、８５を備える。第一のユニットが第二のユニットに接続された状態において、制御部は、第一のユニットの負荷の状態に応じて第二のバッテリから第一のバッテリへの充電を制御する。【選択図】図２
2018113759.tif 000002
【特許請求の範囲】
【請求項１】
充電可能な第一のバッテリを内蔵した第一のユニットと、
前記第一のユニットが接続可能な第二のユニットと、を備え、
前記第二のユニットは、
前記第一のユニットと電気的に接続する接続部と、
充電可能な第二のバッテリと、を備え、
前記第一のユニット及び前記第二のユニットの少なくとも一方は、前記第二のバッテリから前記第一のバッテリへの充電を制御する制御部を備え、
前記第一のユニットが前記第二のユニットに接続されている状態において、前記制御部は、前記第一のユニットの負荷の状態に応じて前記第二のバッテリから前記第一のバッテリへの充電を制御する
情報処理装置。
【請求項２】
前記制御部は、前記第一のユニットが所定の高負荷状態にあるか否かを判断し、前記所定の高負荷状態であると判断したときは、前記第二のバッテリから前記第一のバッテリへの充電を禁止する、
請求項１に記載の情報処理装置。
【請求項３】
前記制御部は、
前記第一のユニットの電源がＯＮでない場合、前記第一のバッテリに対する充電電流を第一の設定値に設定し、
前記第一のユニットの電源がＯＮであって、かつ、前記第一のユニットが前記所定の高負荷状態にあると判断される場合、前記第一のバッテリに対する充電を禁止し、
前記第一のユニットの電源がＯＮであって、かつ、前記第一のユニットが前記所定の高負荷にないと判断される場合、前記第一のバッテリに対する充電電流を前記第一の設定値よりも低い第二の設定値に設定し、前記第一のバッテリに対する充電を行う、
請求項２に記載の情報処理装置。
【請求項４】
前記第二のユニットは、ユーザが前記第二のバッテリから前記第一のバッテリへの充電の可否を設定するためのスイッチをさらに備え、
前記スイッチが前記第二のバッテリから前記第一のバッテリへの充電を不可にする状態に設定されている場合、前記制御部は前記第二のバッテリから前記第一のバッテリへの充電を禁止する、
請求項１に記載の情報処理装置。
【請求項５】
前記第二のユニットは、外部電源から電力を入力する電力入力部をさらに備え、
前記第一のユニットが前記第二のユニットに接続されている状態において、前記制御部は、
前記電力入力部を介して前記外部電源から電力を入力している場合は、前記外部電源からの電力により前記第一のバッテリへの充電を行い、
前記電力入力部を介して前記外部電源から電力を入力していない場合は、前記第二のバッテリからの電力により前記第一のバッテリへの充電を行う、
請求項１に記載の情報処理装置。
【請求項６】
前記第二のユニットは外部機器を接続するための入出力端子をさらに備え、
前記制御部は、前記入出力端子に接続された外部機器の負荷が所定の高負荷状態にあるか否かを判断し、前記所定の高負荷状態であると判断したときは、前記第二のバッテリから前記第一のバッテリへの充電を禁止する、請求項１に記載の情報処理装置。
【請求項７】
前記制御部は、前記第二のバッテリの残量が所定値以下になったときに、前記第二のバッテリから前記第一のバッテリへの充電を禁止する、請求項１に記載の情報処理装置。
【請求項８】
前記第一のユニット及び前記第二のユニットの少なくとも一方は第二のバッテリの出力電圧を昇圧する昇圧回路をさらに備え、
前記昇圧回路により昇圧された電圧によって前記第一のバッテリが充電される、
請求項１ないし７のいずれかに記載の情報処理装置。
【請求項９】
前記第一のユニットは、表示部と、タッチ操作による入力が可能なタッチパネルとを備え、
前記第二のユニットは、前記第一のユニットへの入力を行うためのキーボードを備えた、請求項１ないし８のいずれかに記載の情報処理装置。
【請求項１０】
充電可能な第一のバッテリを内蔵した外部機器に対して充電を行う充電装置であって、
前記外部機器と電気的に接続する接続部と、
充電可能な第二のバッテリと、
前記第二のバッテリから前記外部機器への充電を制御する制御部と、を備え、
前記制御部は、前記外部機器の負荷の状態に応じて前記第二のバッテリから前記第一のバッテリへの充電を制御する
充電装置。
【発明の詳細な説明】
【技術分野】
【０００１】
本開示は、一のバッテリの電力によって他のバッテリを充電する情報処理装置における充電制御に関する。
【背景技術】
【０００２】
近年、タッチパネル機能を備えたディスプレイ部を取り外し、タブレットＰＣとして使用できる情報処理装置が開発されている。
【０００３】
例えば、特許文献１は、タブレット・ユニットとベース・ユニットとを備えたハイブリッドＰＣを開示する。このハイブリッドＰＣにおいて、タブレット・ユニットは、システム・デバイスと、ベース・ユニットから電力を供給する電力ラインが接続されたコネクタとを含む。ベース・ユニットは、タブレット・ユニットと結合したときにタブレット・ユニットのコネクタに接続するコネクタと、電力ラインを通じてシステム・デバイスに電力を供給することが可能な電池ユニットと、電力ライン通じてＡＣ／ＤＣアダプタからシステム・デバイスに電力を供給することが可能な外部電源回路を含む。この構成によれば、タブレット・ユニットには、電力ラインだけで電池ユニットまたはＡＣ／ＤＣアダプタから電力を供給できるため、コネクタの端子数を削減できる。
【先行技術文献】
【特許文献】
【０００４】
【特許文献１】特開２０１３−２５４４０８号公報
【発明の概要】
【発明が解決しようとする課題】
【０００５】
本開示は、第一のユニット（例えば、表示部及びタッチパネルを含む）と第二のユニット（例えば、キーボードを含む）を備えた情報処理装置であって、第一のユニットのパフォーマンスを優先しつつ、第二のユニットのバッテリから第一のユニットの充電を効率的に行う情報処理装置を提供する。
【課題を解決するための手段】
【０００６】
本開示の第一の態様において、充電可能な第一のバッテリを内蔵した第一のユニットと、第一のユニットが接続可能な第二のユニットと、を備える情報処理装置が提供される。第二のユニットは、第一のユニットと電気的に接続する接続部と、充電可能な第二のバッテリとを備える。第一のユニット及び第二のユニットの少なくとも一方は第二のバッテリから第一のバッテリへの充電を制御する制御部を備える。第一のユニットが第二のユニットに接続されている状態において、制御部は、第一のユニットの負荷の状態に応じて第二のバッテリから第一のバッテリへの充電を制御する。
【０００７】
本開示の第二の態様において、充電可能な第一のバッテリを内蔵した外部機器に対して充電を行う充電装置が提供される。充電装置は、外部機器と電気的に接続する接続部と、充電可能な第二のバッテリと、第二のバッテリから外部機器への充電を制御する制御部と、を備える。制御部は、外部機器の負荷の状態に応じて第二のバッテリから第一のバッテリへの充電を制御する。
【発明の効果】
【０００８】
本開示の情報処理装置によれば、第一のユニットの負荷状態に応じて、第二のユニットのバッテリから第一のユニットのバッテリの充電を制御するため、第一のユニットのパフォーマンスを優先しつつ、第一のユニットへの充電を効率的に行うことができる。
【図面の簡単な説明】
【０００９】
【図１】本開示のタブレット部とベース部とを含む情報処理装置の斜視図。（Ａ）タブレット部がベース部に接続されたときの状態を示す図、（Ｂ）タブレット部がベース部から取り外されたときの状態を示す図
【図２】情報処理装置のブロック図
【図３】ベース部からタブレット部への充電に対する充電制御を示すフローチャート
【図４】ベース部にＡＣアダプタが接続されている時の充電制御を示すフローチャート
【図５】ベース部にＡＣアダプタが接続されていない時の充電制御を示すフローチャート
【図６】ＵＳＢスイッチを備えた別の構成例の情報処理装置のブロック図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【００１１】
（本開示に至った経緯）
情報処理装置の軽量化の要望により、それに搭載されるバッテリについても小型軽量化が要求されている。小型のバッテリは出力電圧が低いため、他のバッテリを充電するためには、その出力電圧を昇圧する必要がある。このため、タブレット部とベース部とを備え、ベース部に小型のバッテリを備えた情報処理装置においては、ベース部のバッテリからタブレット部のバッテリへの充電を行うためには、ベース部はバッテリの出力電圧を昇圧するための昇圧回路を搭載する必要がある。この昇圧回路は電力を消費するため、ベース部のバッテリからタブレット部のバッテリへの充電を行う場合、ベース部のバッテリからタブレット部の負荷への電力供給能力が低減する。よって、タブレット部がベース部から供給される電力により駆動された状態でタブレット部の負荷が大きい場合、ベース部からタブレット部のバッテリへの充電を行うと、タブレット部のバッテリの電力供給能力が不足し、タブレット部がシステムダウンするという課題がある。そこで、本開示では、タブレット部のパフォーマンスを優先しつつ、ベース部のバッテリからタブレット部への充電を可能とする情報処理装置を提供する。
【００１２】
（実施の形態１）
１．構成
図１は、本開示の一態様であるタブレット部を含む情報処理装置の外観を示した図である。情報処理装置１００（電子機器の一例）は、タブレット部１０（第一のユニットの一例）と、ベース部８０（第二のユニットの一例）とを含む。
【００１３】
タブレット部１０はベース部８０に対して着脱可能である。図１（Ａ）は、タブレット部１０に対してベース部８０が装着された状態を示した図である。図１（Ｂ）は、タブレット部１０からベース部８０を取りはずされた状態を示した図である。
【００１４】
タブレット部１０は単独でコンピュータとしての機能を実現する電子機器である。ベース部８０はタブレット部１０に対する入力手段を備えている。図１（Ａ）に示すように、ベース部８０にタブレット部１０を取り付けることで、全体としてノートブック型コンピュータ（所謂デタッチャブル型コンピュータ）として使用することができる。また、図１（Ｂ）に示すように、タブレット部１０をベース部８０から取りはずして、タブレット部１０単体で使用することもできる。
【００１５】
タブレット部１０は、厚み方向の一つの主面上にディスプレイ５０を有する。ディスプレイ５０は、例えば、液晶表示デバイス、有機ＥＬデバイスのような表示デバイスである。また、タブレット部１０において、ディスプレイ５０に重畳して、ユーザの指やスタイラスペン等によるタッチ操作を受付可能なタッチパネル５１が設けられている。
【００１６】
タブレット部１０は、ＣＰＵ、ＲＡＭ、不揮発性記憶装置（ＲＯＭ、ＳＳＤ、ＨＤＤ等）、バッテリ等を内蔵している。不揮発性記憶装置（ＲＯＭ、ＳＳＤ、ＨＤＤ等）には、オペレーティングシステム（ＯＳ）、種々のアプリケーションプログラム、種々のデータ等が格納されている。ＣＰＵは、ＯＳ、アプリケーションプログラム、種々のデータを読み込んで演算処理を実行することにより、種々の機能を実現する。ＣＰＵは熱源であり、かつノイズ源である。
【００１７】
ベース部８０は、タブレット部１０と連結するためのヒンジ部８６ａ、８６ｂとコネクタ８６ｃとを備える。ヒンジ部８６ａ、８６ｂは、タブレット部１０をベース部８０に対して回動自在に連結するための機構である。ヒンジ部８６ａ、８６ｂは突起部を有し、タブレット部１０の連結部（図示せず）に挿入され、連結部内の機構と係合するよう構成されている。コネクタ８６ｃは、タブレット部１０のコネクタ（図示せず）の対応する複数の端子と接続する複数の端子を備える。コネクタ８６ｃの複数の端子には、タブレット部１０との間でデータのやりとりを行うための通信ラインに接続された端子と、タブレット部１０へ電源を供給するための電源ラインに接続された端子とが含まれる。さらに、ベース部８０は、タブレット部１０に対する入力手段としてキーボード８２とタッチパッド８４を備えている。
【００１８】
ベース部８０の側面には、メモリカード用の接続端子、イヤホン／マイクロホンの接続端子、及びＨＤＭＩ（登録商標）端子やＵＳＢ端子等のインタフェース用端子を含む各種の入出力端子９１が設けられている。ベース部８０は入出力端子９１を介して外部機器と接続することができる。
【００１９】
図２は、情報処理装置１００における電気的な構成を示すブロック図である。図２では、説明の便宜上、充電制御に関する主要な構成を示している。
【００２０】
タブレット部１０は、バッテリ１１と、充電回路１３と、マイコン１５と、ＤＣ入力１７（入力端子）と、システム部１９（負荷回路）とを含む。
【００２１】
ＤＣ入力１７は、外部電源からの電力をタブレット部１０へ入力するための端子であり、商用ＡＣ電圧をＤＣ電圧に変換するＡＣアダプタが接続され得る。バッテリ１１は充電可能な電池であり、タブレット部１０がＡＣアダプタ及びベース部８０のいずれにも接続されていないときに、タブレット部１０内のシステム部１９に電力を供給する。システム部１９（負荷）は、情報処理装置としての機能を実現するためのＣＰＵ、メモリ、無線モジュール等の回路や装置を含む。
【００２２】
充電回路１３は、バッテリ１１に対する充電を行う回路である。マイコン１５は、システム部１９の状態を検出したり、充電回路１３を制御したりする制御回路である。
【００２３】
ベース部８０は、バッテリ８１と、充電回路８３と、昇圧回路８６と、マイコン８５と、ＤＣ入力８７（入力端子）と、電流検出回路８９ａと、電力検出回路８９ｂと、入出力端子９１と、充電スイッチ９３と、を含む。
【００２４】
ＤＣ入力８７は、外部電源からの電力をベース部８０へ入力するための端子であり、商用ＡＣ電圧をＤＣ電圧に変換するＡＣアダプタが接続され得る。バッテリ８１は充電可能な電池であり、タブレット部１０へ電力を供給する。
【００２５】
昇圧回路８６はベース部８０のバッテリ８１（以下「ベースバッテリ」という）の電圧を昇圧してタブレット部１０へ供給する回路である。本実施の形態では、ベースバッテリ８１に小型のものを採用するため、その出力電圧はタブレット部１０のバッテリ１１（以下「タブレットバッテリ」という）を充電するのに必要な電圧よりも低くなっている。このため、昇圧回路８６を設け、ベース部８０のバッテリ８１の電圧からタブレット部１０のバッテリ１１を充電するための電圧を生成する。
【００２６】
ベース部のマイコン８５（以下「ベースマイコン」という）は、入出力端子９１の状態を監視したり、ベース部８０の充電回路８３及び昇圧回路８６を制御したりする制御回路である。ベースマイコン８５と、タブレット部１０のマイコン１５（以下「タブレットマイコン」という）とは通信を行い、情報のやりとりを行う。
【００２７】
充電スイッチ９３はユーザ操作可能な物理スイッチである。充電スイッチ９３は、ベース部８０からのタブレット部１０のバッテリ１１（以下「タブレットバッテリ」）に対する充電の可否を切り替えるためのスイッチである。すなわち、充電スイッチ９３は、昇圧回路８６のＯＮ／ＯＦＦを切り替えるスイッチである。充電スイッチ９３が「ＯＮ」のときは、昇圧回路８６はベースマイコン８５の制御にしたがいＯＮし、タブレットバッテリ１１への充電が可となる。充電スイッチ９３が「ＯＦＦ」のときは、昇圧回路８６は常時ＯＦＦとなり、タブレットバッテリ１１への充電が不可となる。充電スイッチ９３はベース部８０の側面に配置されている（図１参照）。
【００２８】
電流検出回路８９ａは、ベース部８０からタブレット部１０に流入する電流量を検出する回路である。電流検出回路８９ａによる検出結果を示す信号はベースマイコン８５及びタブレットマイコン１５に送信される。
【００２９】
電力検出回路８９ｂは、入出力端子９１に接続された外部機器で消費される電力を検出する。電力検出回路８９ｂによる検出結果を示す信号はベースマイコン８５及びタブレットマイコン１５に送信される。
【００３０】
２．動作
以上のように構成される情報処理装置１００の動作を以下に説明する。タブレット部１０のシステム部１９（負荷）へは、タブレット部のＤＣ入力１７、ベース部８０のＤＣ入力８７、タブレットバッテリ１１、ベースバッテリ８１の中のいずれかの電源から電力が供給される。ＤＣ入力１７、８７からの電力が優先的に供給され、その次にベースバッテリ８１、タブレットバッテリ１１の順に優先的に供給される。
【００３１】
いずれの電源から電力を供給するかは、タブレットマイコン１５とベースマイコン８５とが相互に情報をやりとりして決定する。
【００３２】
２−１  タブレットバッテリに対する充電制御
以下、情報処理装置１００におけるタブレットバッテリ１１に対する充電制御について説明する。
【００３３】
２−１−１  タブレット部がベース部に接続されていないときの充電制御
タブレット部１０がベース部８０から取り外され、タブレット部１０が単体で使用されている場合のタブレットバッテリ１１の充電制御について説明する。
【００３４】
タブレット部１０のＤＣ入力１７にＡＣアダプタが接続され、ＤＣ入力１７を介して外部電源から電力を入力している場合、タブレットマイコン１５は充電回路１３をＯＮし、ＤＣ入力１７からの電力によりバッテリ１１を充電する。タブレット部１０のシステム部１９がＯＮの場合、ＤＣ入力１７からの電力がシステム部１９に供給される。
【００３５】
タブレット部１０のＤＣ入力１７にＡＣアダプタが接続されていない場合、タブレットバッテリ１１は充電されない。タブレット部１０のシステム部１９がＯＮの場合、タブレットバッテリ１１からシステム部１９に電力が供給される。
【００３６】
２−１−２  タブレット部がベース部に接続されているときの充電制御
タブレット部１０がベース部８０に接続された状態におけるタブレットバッテリ１１の充電制御について図３〜図５のフローチャートを用いて説明する。
【００３７】
図３は、タブレット部１０がベース部８０に接続された状態でのベース部８０からの電力によるタブレットバッテリ１１の充電制御を示すフローチャートである。図３のフローチャートはベースマイコン８５及びタブレットマイコン１５により実施される。タブレット部１０がベース部８０に接続されている場合、基本的にタブレットバッテリ１１はベース部８０から供給される電力によって充電される。
【００３８】
ベースマイコン８５は、常時、タブレット部１０がベース部８０に接続されているか否かを検出している（Ｓ１１）。タブレット部１０のベース部８０に対する接続／非接続は、ベース部８０のコネクタ８６ｃの端子の信号（電圧）により検出する。すなわち、コネクタ８６ｃの複数の端子は、ベース部８０に対するタブレット部１０の接続／非接続を検出するための検出端子を含む。検出端子はベース部８０にタブレット部１０が接続されている場合と、接続されていない場合とで異なる値（Low/High）の信号を出力するようになっている。ベースマイコン８５及びタブレットマイコン１５は検出端子の信号の電位（Low/High）を監視することで接続／非接続を検出できる。タブレット部１０のベース部８０に対する接続／非接続は、他の手段によって検出してもよい。例えば、物理的なスイッチやセンサを用いて検出してもよい。
【００３９】
タブレット部１０がベース部８０に接続されていることを検出すると（Ｓ１１でＹＥＳ）、ベースマイコン８５は、ベース部８０のＤＣ入力８７にＡＣアダプタが接続されているか否かを検出する（Ｓ１２）。ＡＣアダプタの接続はＤＣ入力８７の電圧を監視することで検出できる。
【００４０】
ベース部８０のＤＣ入力８７にＡＣアダプタが接続されている場合（Ｓ１２でＹＥＳ）、ＤＣ入力８７からの電力に基づいてタブレットバッテリ１１の充電が行われる（Ｓ１３）。
【００４１】
一方、ベース部８０のＤＣ入力８７にＡＣアダプタが接続されていない場合（Ｓ１２でＮＯ）、ベースバッテリ８１からの電力に基づきタブレットバッテリ１１の充電が行われる（Ｓ１４）。
【００４２】
以下、ステップＳ１３、Ｓ１４のそれぞれの処理の詳細を図４、図５のフローチャートを用いて説明する。
【００４３】
最初に、図４のフローチャートを参照して、ベース部８０のＤＣ入力８７にＡＣアダプタが接続されている時のタブレットバッテリ１１の充電制御（図３のフローチャートのステップＳ１３）について説明する。
【００４４】
ベース部８０のＤＣ入力８７にＡＣアダプタが接続されている場合、外部電源（例えば、商用電源）から供給される電力によりタブレットバッテリ１１の充電が開始される（Ｓ２１）。ＤＣ入力８７から入力された電力は電源ラインを介してタブレット部１０へ供給される。タブレットマイコン１５は充電回路１３をＯＮにし、ベース部８０から供給される電力を用いてタブレットバッテリ１１を充電する。このとき、ベースマイコン８５とタブレットマイコン１５とは常時通信しており、これにより、タブレットマイコン１５はベース部８０からの電力によるタブレットバッテリ１１の充電が可能であることを認識できる。
【００４５】
タブレットバッテリ１１の充電は、タブレットバッテリ１１が満充電になるまで継続され（Ｓ２２、２４）、タブレットバッテリ１１が満充電状態になると、タブレットバッテリ１１の充電は停止される（Ｓ２３）。タブレットバッテリ１１が満充電になると、タブレットマイコン１５は充電回路１３をオフにし、タブレットバッテリ１１への充電を停止する。
【００４６】
なお、ベース部８０のＤＣ入力８７にＡＣアダプタが接続されている場合、ベース部８０において、外部電源からの電力によりベースバッテリ８１も充電される。このため、ベースマイコン８５は充電回路８３をＯＮにし、ＤＣ入力８７からの電力によってベースバッテリ８１を充電する。
【００４７】
次に、図５のフローチャートを参照し、ベース部８０にＡＣアダプタが接続されていない場合のタブレットバッテリ１１の充電制御（図３のステップＳ１４）について説明する。本処理では、タブレットバッテリ１１の充電電力はベースバッテリ８１から供給される。
【００４８】
ベースマイコン８５は、まず、ベース部８０に設けられた充電スイッチ９３がＯＮ（充電可）であるか否かを検出する（Ｓ３１）。充電スイッチ９３がＯＦＦ（充電不可）のときは（Ｓ３１でＮＯ）、昇圧回路８６をオフにし、タブレットバッテリ１１の充電を行わない。
【００４９】
一方、充電スイッチ９３がＯＮ（充電可）のとき（Ｓ３１でＹＥＳ）、ベースマイコン８５はさらにシステム部１９がＯＮか否かを判定する（Ｓ３２）。
【００５０】
システム部１９がＯＮのときは（Ｓ３２でＹＥＳ）、ベースマイコン８５はさらに負荷の状態を判断する（Ｓ３７）。ここで、負荷とは、システム部１９の負荷と、入出力端子９１に接続された外部機器における負荷（外部機器で消費される電力）とを含む。
【００５１】
システム部１９の負荷の状態は、電流検出回路８９ａにより検出された、ベース部８０からタブレット部１０へ流れる電流の量（すなわち、システム部１９に流れる電流の量）に基づき判断する。すなわち、システム部１９に流れる電流の量が、電流量に関する第一の閾値値よりも大きいときに「負荷が高い状態である」と判断する。負荷の状態は、タブレット部１０のＣＰＵから取得した負荷の状態を示す情報（ＣＰＵ使用率、メモリ使用率等）に基づいて判断してもよい。外部機器の負荷は、電力検出回路８９ｂにより検出された電力に基づき判断する。すなわち、電力検出回路８９ｂにより検出された電力量が電力量に関する第一の閾値よりも大きいときに「負荷が高い状態である」と判断する。ここでは、システム部１９及び外部機器の少なくとも一つに対して「負荷が高い状態である」と判断された場合に、ステップＳ３７において「負荷が第一の高負荷状態である」と判断する。第一の高負荷状態とは、システム部１９及び外部機器において、システムダウンの可能性があるような大きな電力が要求される負荷の状態を意味する。
【００５２】
「負荷が第一の高負荷状態である」と判断された場合（Ｓ３７でＹＥＳ）、タブレットバッテリ１１の充電は開始せず、ステップＳ３２に戻る。すなわち、タブレットバッテリ１１への充電が禁止され、システムがＯＮでない状態になるまで、または、負荷が低くなるまで充電は開始されない。この状態では、ベース部８０からタブレット部１０へ供給される電力はシステム部１９及び外部機器（負荷）に優先的に供給されるため、電力供給能力不足によるシステムダウンの可能性を低減できる。この場合、ベース部８０において、ベースマイコン８５は昇圧回路８６をＯＦＦにし、タブレット部１０において、タブレットマイコン１５は充電回路１３をＯＦＦにする。
【００５３】
一方、「負荷が第一の高負荷状態でない」と判断された場合（Ｓ３７でＮＯ）、すなわち、負荷が比較的低い場合、タブレットマイコン１５は充電電流の設定値を低い値に設定し（Ｓ３８）、タブレットバッテリ１１の充電を開始する（Ｓ３３）。このように、システムがＯＮの場合であっても、負荷が低く、ベース部８０から供給される電力においてタブレットバッテリ１１を充電する余裕がある場合は、タブレットバッテリ１１の充電を開始する。
【００５４】
ステップＳ３２に戻り、システム部１９がＯＮでない場合（Ｓ３２でＮＯ）、すなわち、タブレット部１０の電源がＯＦＦの場合またはシステム部１９がスリープモードにある場合は、タブレットバッテリ１１への充電を開始する（Ｓ３３）。この場合、充電電流の設定値は、通常の高い値に設定され、高速充電が行われる。
【００５５】
タブレットバッテリ１１を充電するために、ベースマイコン８５は、昇圧回路８６をＯＮにする。昇圧回路８６はベースバッテリ８１からの電圧をタブレットバッテリ１１の充電に必要な電圧まで昇圧する。昇圧された電圧は電源ライン（コネクタ８６ｃ）を介してタブレット部１０へ供給される。タブレット部１０において、タブレットマイコン１５は充電回路１３をＯＮにし、ベース部８０から供給された電力を用いてタブレットバッテリ１１を充電する。
【００５６】
充電が開始されると、タブレットマイコン１５およびベースマイコン８５は、タブレットバッテリ１１及びベースバッテリの充電状態を判断し、判断結果に基づきタブレットバッテリ１１の充電制御を行う。
【００５７】
具体的には、タブレットバッテリ１１が満充電になったか否か、または、ベースバッテリ８１の残量が所定値以下になったか否かが判断される（Ｓ３４）。そして、タブレットバッテリ１１が満充電になるまで、または、ベースバッテリ８１の残量が所定値以下になるまで（Ｓ３４）、充電動作を継続する（Ｓ３９）。タブレットバッテリ１１が満充電になった場合は、それ以上充電する必要はないので充電を停止する。ベースバッテリ８１の残量が所定値以下になったときには、ベースバッテリ８１からの電力を優先的にシステム部１９へ供給してシステムダウンを回避するためにタブレットバッテリ１１の充電を停止する。
【００５８】
この充電動作（Ｓ３９）中においても、負荷（システム部１９及び外部機器の負荷）の状態が第二の高負荷状態に有るか否かが判断される（Ｓ３５）。第二の高負荷状態とは、システム部１９及び外部機器において、システムダウンの可能性があるような大きな電力が要求される負荷の状態を意味する。
【００５９】
具体的には、ベースマイコン８５は、システム部１９の負荷の大きさ及び外部機器の負荷の大きさを検出する。負荷の検出については前述のとおりである。そして、それぞれの負荷をそれぞれの閾値（第二の閾値）と比較する。システム部１９の負荷がその第二の閾値よりも大きい場合、または、外部機器の負荷がその第二の閾値よりも大きい場合に、負荷が「第二の高負荷状態にある」と判断する。
【００６０】
「負荷が第二の高負荷状態にある」と判断されると（Ｓ３５でＹＥＳ）、タブレットバッテリ１１への充電を停止する（Ｓ３６）。これによりタブレットバッテリ１１においてシステムダウンが発生する可能性を低減できる。「負荷が第二の高負荷状態にある」と判断されない場合（Ｓ３５でＮＯ）、充電動作が継続される（Ｓ３９）。
【００６１】
なお、タブレットバッテリ１１の充電動作中、タブレットバッテリ１１が所定温度範囲外になった場合、安全面の観点からタブレットバッテリ１１への充電を停止するようにしている。また、ベースバッテリ８１からのタブレットバッテリ１１の充電中にＤＣ入力８７にＡＣアダプタが接続された場合は、図４に示す処理に切り替わる。
【００６２】
以上のように、本実施形態においては、ベース部８０から供給された電力によりタブレットバッテリ１１の充電を行う場合、システム部１９の負荷状態及び／または外部機器の負荷状態に応じて充電が制御される。すなわち、負荷が高い状態にある場合には、タブレットバッテリ１１への充電は実施しないようにする。これにより、システムダウンの可能性を低減し、タブレット部１０のパフォーマンスが損なわれないようにしている。また、システム部１９のパフォーマンスが影響されない範囲で、可能な限りベースバッテリ８１からタブレット部１０へ充電が行われるため、タブレット部１０単体で使用可能な時間をより増大することができる。
【００６３】
また、ベース部８０にユーザ操作可能な充電スイッチ９３を設けたことによって、ユーザは、ベースバッテリ８１からタブレットバッテリ１１への充電の可否を簡易かつ自由に設定することができ、ユーザの利便性を向上できる。
【００６４】
３．効果、等
以上のように本実施の形態の情報処理装置１００は、充電可能なタブレットバッテリ１１（第一のバッテリの一例）を内蔵したタブレット部（第一のユニットの一例）１０と、タブレット部１０と接続可能なベース部８０（第二のユニットの一例）と、を備える。ベース部８０は、タブレット部１０と電気的に接続するコネクタ８６ｃ（接続部の一例）と、充電可能なベースバッテリ８１（第二のバッテリの一例）と、ベースバッテリ８１からタブレットバッテリ１１への充電を制御するベースマイコン８５（制御部の一例）と、を備える。タブレット部１０がベース部８０に接続されている状態において、ベースマイコン８５は、タブレット部１０内（システム部１９）の負荷の状態に応じてベースバッテリ８１からタブレットバッテリ１１への充電を制御する。
【００６５】
例えば、ベースマイコン８５は、タブレット部１０が第一または第二の高負荷状態（所定の高負荷状態の一例）にあるか否かを判断し、第一または第二の高負荷状態であると判断したときは（Ｓ３７、Ｓ３５）、ベースバッテリ８１からタブレットバッテリ１１への充電を禁止する（Ｓ３７―Ｓ３２、Ｓ３６）。
【００６６】
以上の構成によれば、情報処理装置１００は、タブレット部１０（システム部１９）の負荷に応じて、ベースバッテリ８１からタブレットバッテリ１１への充電を制御する。すなわち、負荷が高い状態にある場合には、タブレットバッテリ１１への充電は実施しないようにすることにより、システムダウンの可能性を低減し、タブレット部１０のパフォーマンスが損なわれないようにできる。また、システム部１９のパフォーマンスが影響されない範囲で、可能な限りベースバッテリ８１からタブレット部１０へ充電が行われるため、タブレット部１０単体で使用可能な時間をより増大することができる。
【００６７】
また、ベースマイコン８５は、システム部１９（すなわち、タブレット部１０）の電源がＯＮでない場合（Ｓ３２でＮＯ）、タブレットバッテリ１１に対する充電電流を第一の設定値に設定する。また、システム部１９（すなわち、タブレット部１０）の電源がＯＮであって（Ｓ３２でＹＥＳ）、かつ、タブレット部１０が第一の高負荷状態にあると判断される場合（Ｓ３７でＹＥＳ）、ベースマイコン８５は第一のバッテリに対する充電を禁止する。一方、システム部１９（すなわち、タブレット部１０）の電源がＯＮであって（Ｓ３２でＹＥＳ）、かつ、タブレット部１０が第一の高負荷にないと判断される場合（Ｓ３７でＮＯ）、タブレットバッテリ１１に対する充電電流を第一の設定値よりも低い第二の設定値に設定して（Ｓ３８）、タブレットバッテリ１１に対する充電を行う（Ｓ３３）。
【００６８】
この構成により、システム部１９がＯＮであっても、負荷が低負荷であって、の場合には、制限された充電電流にてタブレットバッテリ１１に対する充電を行うことができる。
【００６９】
また、情報処理装置１００において、ベース部８０は、ユーザがベースバッテリ８１からタブレットバッテリ１１への充電の可否を設定するための充電スイッチ９３（スイッチの一例）をさらに備える。充電スイッチ９３がＯＦＦ（ベースバッテリ８１からタブレットバッテリ１１への充電を不可にする状態の一例）に設定されている場合（Ｓ３１でＮＯ）、ベースマイコン８５はベースバッテリ８１からタブレットバッテリ１１への充電を禁止する。
【００７０】
このような充電スイッチ９３により、ユーザはベースバッテリ８１からタブレットバッテリ１１への充電の可否を自由に設定することができる。
【００７１】
また、ベース部１０は、外部電源から電力を入力するＤＣ入力８７（電力入力部の一例）をさらに備える。タブレット部１０がベース部８０に接続されている状態において（Ｓ１１）、ベースマイコン８５は、ＤＣ入力８７を介して外部電源から電力を入力している場合は、外部電源からの電力によりタブレットバッテリ１１への充電を行う（Ｓ１３）。ＤＣ入力８７を介して外部電源から電力を入力していない場合は、ベースバッテリ８１からの電力によりタブレットバッテリ１１への充電を行う（Ｓ１４）。
【００７２】
このように、ベース部１０が外部電源に接続されているときは、外部電源からタブレットバッテリ１１を充電し、そうでない場合は、ベースバッテリ８１からタブレットバッテリ１１を充電できる。
【００７３】
ベース部１０は外部機器を接続するための入出力端子９１をさらに備える。ベースマイコン８５は、入出力端子９１に接続された外部機器の負荷が所定の高負荷状態にあるか否かを判断し、所定の高負荷状態であると判断したときは（Ｓ３７、Ｓ３５）、ベースバッテリ８１からタブレットバッテリ１１への充電を禁止する。
【００７４】
これにより、入出力端子に接続された外部機器での負荷が大きい場合にも、タブレットバッテリ１１への充電を禁止することで、タブレット部１０のシャットダウンの発生を低減できる。
【００７５】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００７６】
上記の実施の形態においては、ベース部８０（第二のユニットの一例）のベースマイコン８５（制御部の一例）が主として、タブレット部１０（第一のユニットの一例）の負荷の状態に応じてベースバッテリ８１からタブレットバッテリ１１への充電の制御（昇圧回路の制御）を行う構成を説明した。これに限定されず、タブレット部１０（第一のユニットの一例）のタブレットマイコン１５（制御部の一例）が主として、タブレット部１０の負荷の状態に応じてベースバッテリ８１からタブレットバッテリ１１への充電の制御（昇圧回路の制御）を行ってもよい。または、タブレットマイコン１５及びベースマイコン８１の両方が、タブレット部１０の負荷の状態に応じてベースバッテリ８１からタブレットバッテリ１１への充電の制御（昇圧回路の制御）を行ってもよい。また、上記の実施の形態においては、ベース部８０（第二のユニットの一例）が昇圧回路８５を備える構成で説明したが、タブレット部１０（第一のユニットの一例）が昇圧回路を備える構成であってもよいし、タブレット部１０及びベース部８０の両方が昇圧回路を備える構成であってもよい。
【００７７】
上記の実施の形態においてベース部８０は単体で使用することもできる。すなわち、入出力端子９１を介して接続された外部機器（スマートフォン、音楽プレーヤ等）に対して電力を供給し、外部機器内のバッテリを充電する機能を有する。
【００７８】
この場合、図６に示すように、入出力端子９１の１つであるＵＳＢ端子９１ｂに対してＵＳＢスイッチ９７をさらに設けてもよい。ＵＳＢスイッチ９７は、ＵＳＢ端子９１ｂに接続された外部機器に対して電源供給の有効／無効を切り替えるための物理スイッチである。ＵＳＢスイッチ９７によりＵＳ端子９１ｂからの電源供給が有効に設定された場合、ＵＳＢ端子９１ｂに接続された外部機器に対して電源（電力）が供給される。一方、ＵＳＢスイッチ９７によりＵＳ端子９１ｂからの電源供給が無効に設定された場合、ＵＳＢ端子９１ｂに接続された外部機器に対して電源（電力）は供給されない。
【００７９】
ＵＳＢスイッチ９７は、ベースバッテリ８１またはＤＣ入力８７から、ＵＳＢ端子９１ｂの電源端子までの経路を物理的に接続／非接続を切り替えるスイッチであってもよい。または、ベースマイコン８５が、ＵＳＢスイッチ９７のＯＮ／ＯＦＦの設定状態に基づいて、ＵＳＢ端子９１ｂからＵＳＢ端子９１ｂに接続された外部機器への電力の供給を制御するようにしてもよい。
【００８０】
このようなＵＳＢスイッチ９７を設けることで、電源供給の必要のない場合に、外部機器に対するベースバッテリ８１からの電源供給を禁止することができ、ベースバッテリ８１の消費を抑制することができる。
【００８１】
上記の実施の形態において、充電スイッチ９３は物理スイッチとしたが、充電スイッチ９３の機能をソフトウェアで実現してもよい。すなわち、情報処理装置１００の種々の機能を設定するメニュー上において、タブレットバッテリ１１への充電の禁止を設定する項目を設けておき、ユーザがそのメニュー上で充電の可否を自由に設定できるようにしてもよい。
【００８２】
同様に、ＵＳＢスイッチ９７の機能をソフトウェアで実現してもよい。すなわち、情報処理装置１００の種々の機能を設定するメニュー上において、ＵＳＢ端子９１ｂを介した外部機器への電力供給の有効／無効を設定する項目を設けておき、ユーザがそのメニュー上で外部機器への電力供給の可否を自由に設定できるようにしてもよい。
【００８３】
上記の実施の形態においては、充電対象のタブレット部１０と、タブレット部１０を充電するベース部８０とを備えた情報処理装置における充電制御について説明した。上述した充電制御の思想は、バッテリを内蔵し、内蔵したバッテリの電力を用いて外部機器（スマートフォン、モバイル端末、音楽プレーヤ、バッテリ等）を充電する充電装置に対しても適用できる。この場合、充電装置は、上述の制御方法にしたがい、外部機器の負荷状態に応じて外部機器に対する充電を制御する。具体的には、充電装置は、充電可能な第一のバッテリを内蔵する外部機器と電気的に接続する接続部と、充電可能な第二のバッテリと、第二のバッテリから外部機器への充電を制御する制御部と、を備えるように構成すればよい。制御部は、外部機器の負荷の状態に応じて第二のバッテリから第一のバッテリへの充電を制御すればよい。このような充電装置によれば、外部機器のパフォーマンスに影響を与えることなく、可能な限り外部機器に対する充電を行うことができる。
【００８４】
以上のように、本開示における技術の例示として、実施の形態を説明した。そのために、添付図面および詳細な説明を提供した。
【００８５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８６】
また、上述の実施の形態は、本開示における技術を例示するためのものであるから、特許請求の範囲またはその均等の範囲において種々の変更、置き換え、付加、省略などを行うことができる。
【産業上の利用可能性】
【００８７】
本開示は、充電可能なバッテリを備えた電子機器（例えば、デタッチャブルＰＣ、タブレット端末、スマートフォン、音楽プレーヤ）に対する充電制御に適用することができる。
【符号の説明】
【００８８】
１０  タブレット部
１１  タブレット部のバッテリ
１３  タブレット部の充電回路
１５  タブレット部のマイコン
１７  ＤＣ入力
１９  システム部（負荷回路）
８０  ベース部
８１  ベース部のバッテリ
８３  ベース部の充電回路
８６  昇圧回路
８５  ベース部のマイコン
８６ｃ  コネクタ
８７  ＤＣ入力
８９ａ  電流検出回路
８９ｂ  電力検出回路
９１  入出力端子
９１ｂ  ＵＳＢ端子
９３  充電スイッチ
１００  情報処理装置
【図１】
2018113759.tif 000003
【図２】
2018113759.tif 000004
【図３】
2018113759.tif 000005
【図４】
2018113759.tif 000006
【図５】
2018113759.tif 000007
【図６】
2018113759.tif 000008